(57)【要約】  １−メトキシ−２−プロパノール及びヒドロフルオロエーテルを含む共沸混合物様組成物及びその使用を記載する。
2010534271.tif 000002
【特許請求の範囲】
【請求項１】
（ａ）１−メトキシ−２−プロパノールと、
（ｂ）ヒドロフルオロエーテルと、
のブレンドを含む共沸混合物様組成物であって、前記ブレンドは、
（ｉ）０重量パーセント超〜約６９重量パーセントの１−メトキシ−２−プロパノールと、１００重量パーセント未満〜約３１重量パーセントの１，１，１，２，２，３，４，５，５，５−デカフルオロ−３−メトキシ−４−トリフルオロメチル−ペンタンと、から本質的になり、約１０１キロパスカル（ｋＰａ）において、約９７．７℃未満で沸騰するブレンド、
（ｉｉ）約１７重量パーセント〜１００重量パーセント未満の１−メトキシ−２−プロパノールと、約８３〜０重量パーセント超の１，１，１，２，３，３−ヘキサフルオロ−４−（１，１，２，３，３，３−ヘキサフルオロ−プロポキシ）−ペンタンと、から本質的になり、約１０１ｋＰａにおいて、約１１９．７℃未満で沸騰するブレンド又は
（ｉｉｉ）０重量パーセント超〜約４．７重量パーセントの１−メトキシ−２−プロパノールと、１００重量パーセント未満〜約９５．３重量パーセントの１−エトキシ−ノナフルオロブタンと、から本質的になり、約１０１ｋＰａにおいて、約７５．９６℃未満で沸騰するブレンドから選択される、共沸混合物様組成物。
【請求項２】
前記ブレンドが、
（ｉ）約１重量パーセント〜約６４重量パーセントの１−メトキシ−２−プロパノールと、約９９重量パーセント〜約３６重量パーセントの１，１，１，２，２，３，４，５，５，５−デカフルオロ−３−メトキシ−４−トリフルオロメチル−ペンタンと、から本質的になり、約１０１ｋＰａにおいて、約９６．３℃未満で沸騰するブレンド、
（ｉｉ）約２０重量パーセント〜約９５重量パーセントの１−メトキシ−２−プロパノールと、約８０〜約５重量パーセントの１，１，１，２，３，３−ヘキサフルオロ−４−（１，１，２，３，３，３−ヘキサフルオロ−プロポキシ）−ペンタンと、から本質的に成り、約１０１ｋＰａにおいて、約１１９．２℃未満で沸騰するブレンド又は
（ｉｉｉ）約０．４重量パーセント〜約４．２重量パーセントの１−メトキシ−２−プロパノールと、約９９．６重量パーセント〜約９５．８重量パーセントの１−エトキシ−ノナフルオロブタンと、から本質的になり、約１０１ｋＰａにおいて、約７５．９３℃未満で沸騰するブレンドから選択される、請求項１に記載の共沸混合物様組成物。
【請求項３】
前記ブレンドが、
（ｉ）約２重量パーセント〜約５６重量パーセントの１−メトキシ−２−プロパノールと、約９８重量パーセント〜約４４重量パーセントの１，１，１，２，２，３，４，５，５，５−デカフルオロ−３−メトキシ−４−トリフルオロメチル−ペンタンと、から本質的になり、約１０１ｋＰａにおいて、約９５．０℃未満で沸騰するブレンド、
（ｉｉ）約２３重量パーセント〜約８７重量パーセントの１−メトキシ−２−プロパノールと、約７７重量パーセント〜約１３重量パーセントの１，１，１，２，３，３−ヘキサフルオロ−４−（１，１，２，３，３，３−ヘキサフルオロ−プロポキシ）−ペンタンと、から本質的になり、約１０１ｋＰａにおいて、約１１８．６℃未満で沸騰するブレンド又は
（ｉｉｉ）約０．７重量パーセント〜約３．６重量パーセントの１−メトキシ−２−プロパノールと、約９９．３重量パーセント〜約９６．４重量パーセントの１−エトキシ−ノナフルオロブタンと、から本質的になり、約１０１ｋＰａにおいて、約７５．８９℃未満で沸騰するブレンドから選択される、請求項１に記載の共沸混合物様組成物。
【請求項４】
前記組成物が共沸混合物であり、前記ブレンドが、
（ｉ）約１０．０重量パーセントの１−メトキシ−２−プロパノールと、約９０．０重量パーセントの１，１，１，２，２，３，４，５，５，５−デカフルオロ−３−メトキシ−４−トリフルオロメチル−ペンタンと、から本質的になり、約７３２トル（９７．６ｋＰａ）において、約９０．７℃で沸騰するブレンド、
（ｉｉ）約４６．４重量パーセントの１−メトキシ−２−プロパノールと、約５３．６重量パーセントの１，１，１，２，３，３−ヘキサフルオロ−４−（１，１，２，３，３，３−ヘキサフルオロ−プロポキシ）−ペンタンと、から本質的になり、約７３２トル（９７．６ｋＰａ）において、約１１７．１℃で沸騰するブレンド又は
（ｉｉｉ）約１．８重量パーセントの１−メトキシ−２−プロパノールと、約９８．２重量パーセントの１−エトキシ−ノナフルオロブタンと、から本質的になり、約７２６トル（９６．８ｋＰａ）において、約７４．５℃で沸騰するブレンドから選択される、請求項１に記載の共沸混合物様組成物。
【請求項５】
請求項１に記載の共沸混合物様組成物及び少なくとも１種のコーティング材料を含む、コーティング組成物。
【請求項６】
第１表面を有する基材を含むコーティングされた物品であって、請求項５に記載のコーティング組成物が、前記第１表面の少なくとも一部と接触する、コーティングされた物品。
【請求項７】
基材表面上にコーティングを沈着させるプロセスであって、請求項５に記載のコーティング組成物を、前記基材の少なくとも１つの表面の少なくとも一部に塗布することを含み、前記少なくとも１つのコーティング材料が、前記共沸混合物様組成物に可溶性又は分散性である、プロセス。
【請求項８】
請求項１に記載の前記共沸混合物様組成物及び潤滑添加剤を含む、作動流体。
【請求項９】
前記潤滑添加剤が揮発性である、請求項８に記載の作動流体。
【請求項１０】
フッ化水素酸を更に含む、請求項１に記載の共沸混合物様組成物。
【請求項１１】
金属、サーメット又は複合材料を潤滑化するプロセスであって、前記プロセスが請求項８に記載の作動流体を使用して潤滑化されるプロセス。
【請求項１２】
汚染物質が共沸混合物様組成物に溶解する、分散する又は共沸混合物様組成物により置き換えられるまで、基材を、請求項１に記載の共沸混合物様組成物の１種又はそれ以上に接触させる工程と、溶解した、分散した又は置き換えられた汚染物質を含有する共沸混合物様組成物を基材の表面から除去する工程と、を含む、基材の表面から汚染物質を除去するプロセス。
【請求項１３】
請求項１に記載の前記共沸混合物様組成物の少なくとも１種が、熱伝達流体として用いられる、熱伝達プロセス。
【発明の詳細な説明】
【技術分野】
【０００１】
本発明は、１−メトキシ−２−プロパノールを含有する共沸混合物及び共沸混合物様組成物、並びに基材を洗浄する、コーティングを沈着させる、熱エネルギーを伝達する、及び工作作業を円滑にするための共沸混合物及び共沸混合物様組成物の使用に関する。
【背景技術】
【０００２】
クロロフルオロカーボン（ＣＦＣ）、ヒドロクロロフルオロカーボン（ＨＣＦＣ）及びヒドロクロロカーボン（ＨＣＣ、例えば１，１，１−トリクロロエタン及び四塩化炭素）は、乾燥、洗浄（例えば、プリント回路基板からのフラックス残渣の除去）及び蒸気脱脂のような広範な溶媒用途で用いられている。これらの材料はまた、冷蔵及び熱伝達プロセスでも用いられている。しかしながら、塩素含有炭素部位での光分解反応性及び均一反応性が、地球のオゾン層の破壊の一因であることが示されている。更に、ＣＦＣの長い大気寿命は、地球温暖化と関連がある。結果として、ＣＦＣを代替する世界規模の動きが存在する。
【０００３】
低オゾン破壊能に加えて、代替において求められている特徴としては、典型的には、種々の溶媒清浄化用途で好適な沸点範囲、低燃焼性及び低毒性が挙げられる。いくつかの用途では、溶媒代替品は、炭化水素系及びフルオロカーボン系の汚れを溶解させる能力も有するべきである。いくつかの実施形態では、溶媒代替品は低毒性も有し、引火点を有さず（ＡＳＴＭ  Ｄ３２７８−９８  ｅ−１、「小規模の密閉されたカップ装置による液体の引火点（Flash Point of Liquids by Small Scale Closed-Cup Apparatus）」により測定したとき）、許容可能な安定性を有し、短い大気寿命を有し、低地球温暖化能を有する。
【０００４】
ヒドロフルオロエーテル（ＨＦＥ）は、ＣＦＣ及びＨＣＦＣの代替品として関心が高まっている。一般的に、ＨＦＥは化学的に安定であり、低毒性を有し、非燃焼性であり、非オゾン破壊性である。
【０００５】
場合によっては、ＨＦＥは、１種又はそれ以上の共溶媒と共沸混合物を形成して、ＨＦＥの溶媒特徴を改良する又は強化することができる。多くの共沸混合物が、それを有用な溶媒にする特性を保有する。例えば、共沸混合物は、加工及び使用中、沸点の変動を避ける一定の沸点を有する。更に、共沸混合物を溶媒として用いるとき、組成物は沸騰又は還流中変化しないため、性質は依然として変わらないままである。溶媒として用いられる共沸混合物は、蒸留により都合よく回収することもできる。
【発明の概要】
【課題を解決するための手段】
【０００６】
いくつかの実施形態では、良好な溶媒強度を有する共沸混合物様組成物を提供することが望ましい。別の態様において、いくつかの実施形態では、低燃焼性を有する共沸混合物様組成物を提供することが望ましい。更に別の態様では、いくつかの実施形態では、非オゾン破壊性であり、及び／又は比較的短い大気寿命を有し、その結果地球温暖化の重大な一因とならない（即ち、低い地球温暖化能を有する共沸混合物様組成物）共沸混合物様組成物を提供することが望ましい。
【０００７】
簡潔に言えば、１つの実施形態では、本発明は、１−メトキシ−２−プロパノールと、ＨＦＥと、のブレンドを含む共沸混合物様組成物を提供する。本発明のＨＦＥは、１，１，１，２，２，３，４，５，５，５−デカフルオロ−３−メトキシ−４−トリフルオロメチル−ペンタンと、１，１，１，２，３，３−ヘキサフルオロ−４−（１，１，２，３，３，３−ヘキサフルオロ−プロポキシ）−ペンタンと、１−エトキシ−ノナフルオロブタンと、を含む。いくつかの実施形態では、共沸混合物様組成物は、潤滑添加剤及び／又はフッ化水素酸を更に含む。
【０００８】
別の実施形態では、本発明は、共沸混合物様組成物及び共沸混合物様組成物に可溶性又は分散性である、少なくとも１種のコーティング材料を含むコーティング組成物を提供する。
【０００９】
更に別の実施形態では、本発明は、表面上にコーティングを沈着させるプロセスであって、共沸混合物様組成物を含むコーティング組成物を、表面の少なくとも一部に塗布することを含み、少なくとも１種のコーティング材料が共沸混合物様組成物に可溶性又は分散性である、プロセスを提供する。
【００１０】
更に別の実施形態では、本発明は、金属、サーメット又は複合材料を潤滑化するプロセスであって、前述のプロセスが本発明の共沸混合物様組成物を含む潤滑化流体を使用するプロセスを提供する。
【００１１】
更に別の実施形態では、本発明は、汚染物質が共沸混合物様組成物に溶解する、分散する又は共沸混合物様組成物により置き換えられるまで、基材を、本発明による共沸混合物様組成物の１種又はそれ以上に接触させる工程と、溶解した、分散した又は置き換えられた汚染物質を含有する共沸混合物様組成物を基材の表面から除去する工程と、を含む、基材の表面から汚染物質を除去するのを助けるためのプロセスを提供する。
【００１２】
更に別の実施形態では、本発明は、熱伝達プロセスであって、本発明による共沸混合物様組成物の１種又はそれ以上が、熱伝達流体として使用されるプロセスを提供する。
【００１３】
上記概要は、各実施形態を記載することを意図するものではない。また、本発明の１つ以上の実施形態の詳細を以下の説明に示す。他の特徴、目的及び利点は、説明並びに特許請求の範囲から明らかとなる。
【図面の簡単な説明】
【００１４】
本開示の実施形態は、添付図面で例を用いて例示されるが、限定されるものではない。
【図１】共沸混合物及び共沸混合物様領域を示す、成分Ａの百分率対沸点の概要図。
【図２】本発明の１つの実施形態を示す、１，１，１，２，２，３，４，５，５，５−デカフルオロ−３−メトキシ−４−トリフルオロメチル−ペンタンを含む溶液中の１−メトキシ−２−プロパノール（ＰＭ）の重量パーセント対沸点のグラフ。
【図３】本発明の別の実施形態を示す、１，１，１，２，３，３−ヘキサフルオロ−４−（１，１，２，３，３，３−ヘキサフルオロ−プロポキシ）−ペンタンを含む溶液中の１−メトキシ−２−プロパノールの重量パーセント対沸点のグラフ。
【図４】本発明の更に別の実施形態を示す、１−エトキシ−ノナフルオロブタンを含む溶液中の１−メトキシ−２−プロパノールの重量パーセント対沸点のグラフ。
【図５】図４のグラフの拡大図。
【発明を実施するための形態】
【００１５】
共沸混合物組成物又は共沸混合物は、その沸点で、液体共沸混合物組成物の部分蒸発により生成される蒸気が、液体と同じ組成を有する単一物質のような挙動を示す、２種又はそれ以上の物質の混合物を含む。
【００１６】
専門用語を定義するために、図１を用いる。図１に示されているのは、２種の仮定の混合物Ｂ’及びＣ’である。混合物Ｂ’は、成分Ａ及びＢを含む。混合物Ｃ’は、成分Ａ及びＣを含む。混合物Ｂ’及びＣ’は、成分Ａ対沸点としてプロットされ、それぞれ曲線１５０及び１５１として表される。図１では、個々の成分Ａ、Ｂ及びＣの沸点は、それぞれ９５℃、１０５℃及び１００℃である。
【００１７】
共沸混合物は、個々の成分それぞれより高い最高沸点又はそれより低い最低沸点のいずれかを示す一定沸点混合物である。図１では、混合物Ｂ’の共沸混合物は、１５４で表される。この共沸混合物は、成分Ａ及びＢの両方よりも高い沸点を有する。混合物Ｃ’の共沸混合物は、１５５で表される。この共沸混合物は、成分Ａ及びＣの両方より低い沸点を有する。
【００１８】
共沸混合物様組成物は、個々の成分のそれぞれより高い、又は個々の成分のそれぞれの沸点より低い温度で沸騰する。図１では、混合物Ｂ’の共沸混合物様組成物は、斜線部分１５２で表される。それ故、０％〜８０％超の成分Ａを含むＢ’組成物は、共沸混合物様であると考えられ、成分Ａ及びＢの両方より高い沸点を有する。混合物Ｃ’の共沸混合物様組成物は、斜線部分１５３で表される。６０％〜１００％未満の成分Ａを含むＣ’組成物は、共沸混合物様であると考えられ、成分Ａ及びＣの両方より低い沸点を有する。図１に見られるように、共沸混合物組成物は物質の特定の混合物として、共沸混合物様組成物の範囲に含まれる。
【００１９】
共沸混合物様組成物は、ＨＦＥと、１−メトキシ−２−プロパノールと、を含む。特定の共沸混合物様組成物中の１−メトキシ−２−プロパノール及びＨＦＥの濃度は、対応する共沸混合物組成物とは実質的に異なってよく、この許容差の規模はＨＦＥに依存する。いくつかの実施形態では、共沸混合物様組成物は、周囲気圧でそれらの間に形成される共沸混合物が含むのと本質的に同じ濃度の１−メトキシ−２−プロパノールと、ＨＦＥと、を含む。いくつかの実施形態では、共沸混合物様組成物は、時間が経っても組成物の溶媒力の著しい変化を示さない。
【００２０】
典型的には、共沸混合物様組成物は、個々の成分の溶媒の特定の一部を保持し、それは、特性が組み合わせられたために、個々の成分を超えて性能を強化することができる。
【００２１】
１−メトキシ−２−プロパノール及びＨＦＥに加えて、共沸混合物様組成物の形成に干渉しない他の成分を添加してもよい。典型的には、他の成分は、少量存在する。例えば、いくつかの実施形態では、共溶媒又は界面活性剤が存在して、例えば、共沸混合物様組成物中の水、汚れ又はコーティング材料（例えば、ペルフルオロポリエーテル潤滑剤及びフルオロポリマー）のような、材料の分散性又は溶解度を高めることができる。いくつかの実施形態では、少量の潤滑添加剤が存在して、例えば、共沸混合物様組成物の潤滑特性を強化することができる。
【００２２】
ＨＦＥは、１，１，１，２，２，３，４，５，５，５−デカフルオロ−３−メトキシ−４−（トリフルオロメチル）−ペンタン（ＣＦ３ＣＦ２ＣＦ（ＯＣＨ３）ＣＦ（ＣＦ３）２）と、１，１，１，２，３，３−ヘキサフルオロ−４−（１，１，２，３，３，３−ヘキサフルオロ−プロポキシ）−ペンタン（ＣＦ３ＣＦＨＣＦ２ＣＨ（ＯＣＦ２ＣＦＨＣＦ３）ＣＨ３）と、１−エトキシ−ノナフルオロブタン（Ｃ４Ｆ９ＯＣ２Ｈ５）と、を含むことができる。本明細書で使用するとき、１−エトキシ−ノナフルオロブタンは、全ての異性体（例えば、１−エトキシ−１，１，２，３，３，３−ヘキサフルオロ−２−トリフルオロメチル−プロパン（ＣＦ３）２ＣＦＣＦ２ＯＣ２Ｈ５）及び１−エトキシ−１，１，２，２，３，３，４，４，４−ノナフルオロブタン（ＣＦ３（ＣＦ２）３ＯＣ２Ｈ５））又はこれらの混合物を含むことを意味する。
【００２３】
本発明の共沸混合物様組成物は、１−メトキシ−２−プロパノールと、ＨＦＥと、のブレンドを含み、このブレンドは、
（ｉ）０重量パーセント超〜約６９重量パーセントの１−メトキシ−２−プロパノールと、１００重量パーセント未満〜約３１重量パーセントの１，１，１，２，２，３，４，５，５，５−デカフルオロ−３−メトキシ−４−トリフルオロメチル−ペンタンと、から本質的になり、約１０１キロパスカル（ｋＰａ）において、約９７．７℃未満で沸騰するブレンド、
（ｉｉ）約１７重量パーセント〜１００重量パーセント未満の１−メトキシ−２−プロパノールと、約８３重量パーセント〜０重量パーセント超の１，１，１，２，３，３−ヘキサフルオロ−４−（１，１，２，３，３，３−ヘキサフルオロ−プロポキシ）−ペンタンと、から本質的になり、約１０１ｋＰａにおいて、約１１９．７℃未満で沸騰するブレンド及び
（ｉｉｉ）０重量パーセント超〜約４．７重量パーセントの１−メトキシ−２−プロパノールと、１００重量パーセント未満〜約９５．３重量パーセントの１−エトキシ−ノナフルオロブタンと、から本質的になり、約１０１ｋＰａにおいて、約７５．９６℃未満で沸騰するブレンドを含む。
【００２４】
いくつかの実施形態では、本発明の共沸混合物様組成物は、共沸混合物様組成物の最低沸点成分から最小沸点への沸点降下の７５％未満の沸点を有する。つまり、最低沸点成分の沸点がＸ（℃）であり、共沸混合物様組成物の最小沸点の沸点がＹ（℃）である場合、これらの共沸混合物様組成物の沸点（℃）はＸ−０．２５＊（Ｘ−Ｙ）未満である。
【００２５】
本発明のこれらの共沸混合物様組成物は、１−メトキシ−２−プロパノールと、ＨＦＥと、のブレンドを含み、このブレンドは、
（ｉ）約１重量パーセント〜約６４重量パーセントの１−メトキシ−２−プロパノールと、約９９〜約３６重量パーセントの１，１，１，２，２，３，４，５，５，５−デカフルオロ−３−メトキシ−４−トリフルオロメチル−ペンタンと、から本質的になり、約１０１ｋＰａにおいて、約９６．３℃未満で沸騰するブレンド、
（ｉｉ）約２０重量パーセント〜約９５重量パーセントの１−メトキシ−２−プロパノールと、約８０重量パーセント〜約５重量パーセントの１，１，１，２，３，３−ヘキサフルオロ−４−（１，１，２，３，３，３−ヘキサフルオロ−プロポキシ）−ペンタンと、から本質的になり、約１０１ｋＰａにおいて、約１１９．２℃未満で沸騰するブレンド及び
（ｉｉｉ）約０．４重量パーセント〜約４．２重量パーセントの１−メトキシ−２−プロパノールと、約９９．６重量パーセント〜約９５．８重量パーセントの１−エトキシ−ノナフルオロブタンと、から本質的になり、約１０１ｋＰａにおいて、約７５．９３℃未満で沸騰するブレンドを含む。
【００２６】
いくつかの実施形態では、本発明の共沸混合物様組成物は、共沸混合物様組成物の最低沸点成分から最小沸点への沸点降下の５０％未満の沸点を有する。つまり、最低沸点成分の沸点がＸ（℃）であり、共沸混合物様組成物の最小沸点の沸点がＹ（℃）である場合、これらの共沸混合物様組成物の沸点（℃）はＸ−０．５＊（Ｘ−Ｙ）未満である。
【００２７】
これらの本発明の共沸混合物様組成物は、１−メトキシ−２−プロパノールと、ＨＦＥと、のブレンドを含み、このブレンドは、
（ｉ）約２重量パーセント〜約５６重量パーセントの１−メトキシ−２−プロパノールと、約９８〜約４４重量パーセントの１，１，１，２，２，３，４，５，５，５−デカフルオロ−３−メトキシ−４−トリフルオロメチル−ペンタンと、から本質的になり、約１０１ｋＰａにおいて、約９５．０℃未満で沸騰するブレンド、
（ｉｉ）約２３重量パーセント〜約８７重量パーセントの１−メトキシ−２−プロパノールと、約７７〜約１３重量パーセントの１，１，１，２，３，３−ヘキサフルオロ−４−（１，１，２，３，３，３−ヘキサフルオロ−プロポキシ）−ペンタンと、から本質的になり、約１０１ｋＰａにおいて、約１１８．６℃未満で沸騰するブレンド及び
（ｉｉｉ）約０．７重量パーセント〜約３．６重量パーセントの１−メトキシ−２−プロパノールと、約９９．３〜約９６．４重量パーセントの１−エトキシ−ノナフルオロブタンと、から本質的になり、約１０１ｋＰａにおいて、約７５．８９℃未満で沸騰するブレンドを含む。
【００２８】
本発明の共沸混合物様組成物は、１−メトキシ−２−プロパノールと、ＨＦＥとのブレンドを含み、このブレンドは、
（ｉ）約１０．０重量パーセントの１−メトキシ−２−プロパノールと、約９０．０重量パーセントの１，１，１，２，２，３，４，５，５，５−デカフルオロ−３−メトキシ−４−トリフルオロメチル−ペンタンと、から本質的になり、約９７．６ｋＰａ（７３２トル）において、約９０．７℃で沸騰するブレンド、
（ｉｉ）約４６．４重量パーセントの１−メトキシ−２−プロパノールと、約５３．６重量パーセントの１，１，１，２，３，３−ヘキサフルオロ−４−（１，１，２，３，３，３−ヘキサフルオロ−プロポキシ）−ペンタンと、から本質的になり、約９７．６ｋＰａ（７３２トル）において、約１１７．１℃で沸騰するブレンド及び
（ｉｉｉ）約１．８重量パーセントの１−メトキシ−２−プロパノールと、約９８．２重量パーセントの１−エトキシ−ノナフルオロブタンと、から本質的になり、約９６．８ｋＰａ（７２６トル）において、約７４．５℃で沸騰するブレンドを含む。
【００２９】
当該技術分野において既知であるように、共沸混合物の組成物は、例えば、周囲気圧が上昇するにつれて、液体の沸点も上昇し、また同様に、周囲気圧が低下するにつれて、液体の沸点も低下する等、圧力によって変動する。
【００３０】
いくつかの実施形態では、共沸混合物様組成物は、均質である、即ち、周囲条件下で（即ち、室温及び大気圧で）単相を形成する。
【００３１】
共沸混合物様組成物は、従来の混合手段を用いて、所望の量の１−メトキシ−２−プロパノールと、ＨＦＥと、任意の他の微量成分（例えば、界面活性剤又は潤滑添加剤）と、をともに混合することにより、調製できる。
【００３２】
いくつかの実施形態では、共沸混合物様組成物は、冷媒として、潤滑流体として、コーティング液体として等、清浄化プロセス、熱伝達プロセスで用いてもよい。
【００３３】
種々の異なる溶媒清浄化及び／又は汚染除去技術が当該技術分野において既知である。１つの実施形態では、清浄化プロセスは、基材上の汚染物質が共沸混合物様組成物に実質的に溶解する、分散する又は置き換えられるまで、汚染された基材を、本発明の共沸混合物様組成物のうち１種に接触させ、次いで、基材から溶解した、分散した又は置き換えられた汚染物質を含有する共沸混合物様組成物を除去する（例えば、新たに調製した汚染されていない共沸混合物様組成物で基材をすすぐことにより、又は槽から共沸混合物様組成物に浸漬した基材を取り出し、汚染された共沸混合物様組成物を基材から流すことにより）ことにより、実施できる。共沸混合物様組成物は、蒸気又は液体状態のいずれか（又は両方）で使用でき、基材と「接触させる」ための任意の既知の技術を使用できる。例えば、液体共沸混合物様組成物を基材上に噴霧する若しくはブラシで塗ることができ、蒸気性共沸混合物様組成物を基材に吹きつけることができるか、又は基材を蒸気若しくは液体共沸混合物様組成物のいずれかに浸漬することができる。いくつかの実施形態では、高温、超音波エネルギー及び／又は攪拌を用いて、清浄化を促進することができる。
【００３４】
いくつかの実施形態では、共沸混合物様組成物はまた、半導体製造中に汚染物質を除去するためにも有用である。例えば、集積回路又は他の小さな構成要素を共沸混合物様組成物に曝露して、フォトレジスト残留物、イオン注入後の残留物、エッチング後の残留物、微粒子及び更には水を含む、表面上の不要な物質を除去してもよい。いくつかの実施形態では、共沸混合物様組成物は、ゲート、コンタクト、プラグ及び配線を含むトランジスタ又は半導体デバイスの汚染除去で用いることができる（本明細書に参照により組み込まれる、代理人整理番号６３２０８ＵＳ００２（オルソン（Olson）ら）、これと同日に出願された（米国特許出願第１１／７８２，７６６号）を参照）。特に有用なのは、イオン注入された領域及び／又は金属ゲートを有する基材で共沸混合物様組成物を用いることであってよい。
【００３５】
いくつかの実施形態では、本発明の代表的なプロセスを用いて、有機及び／又は無機基材を洗浄することができる。代表的な基材の例としては、金属；セラミックス；ガラス；シリコンウエハー；ポリマー、例えばポリカーボネート、ポリスチレン及びアクリロニトリル−ブタジエン−スチレンコポリマー；天然繊維（及びそれに由来する布地）、例えば綿、絹、亜麻布、ウール、ラミー、毛皮、レザー及びスエード；合成繊維（及びそれに由来する布地）、例えばポリエステル、レーヨン、アクリル、ナイロン、ポリオレフィン、アセテート、トリアセテート及びこれらのブレンド；天然及び合成繊維を含む布地；並びに前述の材料の組み合わせ（例えば、積層体、混合物、ブレンド等）が挙げられる。いくつかの実施形態では、プロセスは、電子部品（例えば、回路基板）；光学又は磁気媒体；並びに医療装置及び医療用物品、例えば注射器、手術用機器、埋め込み型装置及び人工装具の精密洗浄で特に有用である。
【００３６】
いくつかの実施形態では、代表的な洗浄及び／又は汚染除去プロセスを用いて、基材の表面から大部分の汚染物質を除去することができる。例えば、軽質炭化水素汚染物質；鉱油、グリース、切削油及び鍛造油並びにワックスのような高分子量の炭化水素汚染物質；ペルフルオロポリエーテル、ブロモトリフルオロエチレンオリゴマー（ジャイロスコープ流体）及びクロロトリフルオロエチレンオリゴマー（水圧液、潤滑剤）のようなフルオロカーボン汚染物質；シリコーン油及びグリース；フォトレジスト、はんだフラックス；微粒子；並びに精密、電子、金属及び医療装置洗浄において遭遇する汚染物質のような物質を除去できる。いくつかの実施形態では、プロセスは、炭化水素汚染物質（特に軽質炭化水素油）、フルオロカーボン汚染物質、フォトレジスト及び微粒子の除去に特に有用である。
【００３７】
いくつかの実施形態では、共沸混合物様組成物は抽出にも有用である。ここでは、洗浄は、基材（例えば、自然発生材料、食品、化粧品及び医薬品）からこれらの物質の溶解又は置換により、物質（例えば、脂肪、ワックス、油又は他の溶媒）を除去することを含む。
【００３８】
いくつかの実施形態では、代表的な共沸混合物様組成物はコーティング沈着に使用することもでき、ここでは共沸混合物様組成物がコーティング材料の担体として機能し、材料を基材の表面上に沈着させることができ、それにより共沸混合物様組成物を含むコーティング組成物及び、共沸混合物様組成物を用いて基材表面上にコーティングを沈着させるプロセスを提供する。プロセスは、基材の少なくとも１つの表面の少なくとも一部に（ａ）共沸混合物様組成物及び（ｂ）共沸混合物様組成物に可溶性又は分散性である少なくとも１種のコーティング材料を含む、液体コーティング組成物のコーティングを塗布する工程を含む。コーティング組成物は、更に、１種又はそれ以上の添加剤（例えば、界面活性剤、着色剤、安定剤、抗酸化剤、難燃剤等）を含むことができる。好ましくは、プロセスは、例えば蒸発させることにより（例えば熱又は真空の適用によって促進することができる）、沈着したコーティングから共沸混合物様組成物を除去する工程を更に含む。
【００３９】
このプロセスにより沈着させることができるコーティング材料としては、顔料、シリコーン潤滑添加剤、安定剤、接着剤、抗酸化剤、染料、ポリマー、医薬品、化粧品、剥離剤、無機酸化物等及びこれらの混合物が挙げられる。好ましい材料としては、ペルフルオロポリエーテル、炭化水素及びシリコーン潤滑添加剤；テトラフルオロエチレンの非晶質コポリマー；ポリテトラフルオロエチレン；及びこれらの組み合わせが挙げられる。プロセスで用いるのに好適な材料の代表的な例としては、二酸化チタン、酸化鉄、酸化マグネシウム、ペルフルオロポリエーテル、ポリシロキサン、ステアリン酸、アクリル接着剤、ポリテトラフルオロエチレン、テトラフルオロエチレンの非晶質コポリマー及びこれらの組み合わせが挙げられる。上記基材のいずれかを（汚染除去用途のために）コーティングすることができる。１つの実施形態で特に有用なのは、ペルフルオロポリエーテル潤滑剤で磁気ハードディスク若しくは電気コネクタを、又はシリコーン潤滑添加剤で医療装置をコーティングすることである。
【００４０】
コーティング組成物を形成するために、組成物の成分（即ち、用いられる共沸混合物様組成物、コーティング材料及び任意の添加剤）を、例えば機械的攪拌、超音波攪拌、手動攪拌等により、コーティング材料を溶解する、分散する又は乳化するために用いられる、任意の従来の混合技術により組み合わせることができる。共沸混合物様組成物及びコーティング材料は、コーティングの所望の厚さに応じて、任意の比で組み合わせることができる。いくつかの実施形態では、コーティング材料は、約０．１〜約１０重量パーセントのコーティング組成物を含む。
【００４１】
本発明の代表的な沈着させるプロセスは、任意の従来の技術により基材にコーティング組成物を塗布することにより実施できる。例えば、組成物を基材上にブラシで塗る若しくは噴霧する（例えば、エアゾールとして）ことができ、又は基材をスピンコーティングすることができる。いくつかの実施形態では、基材は、組成物に浸漬することによりコーティングされる。浸漬は、任意の好適な温度で実施でき、任意の都合のよい時間維持することができる。基材が、カテーテルのような管であり、組成物を確実にカテーテルの管腔壁にコーティングするのが望ましい場合、減圧の適用により管腔に組成物を引くことが有利である場合がある。
【００４２】
いくつかの実施形態では、コーティングを基材に塗布した後、共沸混合物様組成物を沈着したコーティングから、蒸発により除去することができる。いくつかの実施形態では、蒸発速度は、減圧又は穏やかな加熱の適用により加速することができる。コーティングは、任意の所望の厚さであることができる。一般的に、厚さは、例えば、コーティング材料の粘度、コーティングが塗布される温度及び引き上げ速度（浸漬を用いる場合）のような要因により決定される。
【００４３】
いくつかの実施形態では、本発明の共沸混合物様組成物は、熱伝達流体が熱エネルギー（例えば、熱）を直接又は間接的方法で伝達することができる熱伝達プロセスで、熱伝達流体として用いられ得る。直接熱伝達（時に「直接接触熱伝達」と呼ばれる）とは、熱伝達流体が、ヒートシンク若しくは熱源に流体を直接接触させることにより、ヒートシンク若しくは熱源に及び／又はヒートシンク若しくは熱源から、流体に熱を直接伝導する熱伝達プロセスを指す。直接熱伝達の例としては、電子部品の浸漬冷却又は内燃機関の冷却が挙げられる。
【００４４】
間接熱伝達とは、熱伝達流体が、ヒートシンク若しくは熱源に流体を直接接触させることなく、ヒートシンク若しくは熱源に及び／又はヒートシンク若しくは熱源から、熱を伝導する熱伝達プロセスを指す。間接熱伝達の例としては、ビル、車及び据付機械装置で用いるような、冷蔵、空調及び／又は加熱（例えばヒートポンプを用いて）プロセスが挙げられる。他の実施形態では、二次ループ冷媒として又は一次ループ冷媒として、共沸混合物様組成物を使用することを含む、熱を伝達するプロセスを提供する。これらの実施形態では、二次ループ冷媒（即ち、広い温度範囲の液体流体）は、熱源と一次ループ冷媒との間で熱を伝達する手段を提供する（即ち、例えば気体に膨張することにより熱を受容し、典型的には、圧縮機を用いることにより、液体に液化されることにより熱を拒絶する、低温度沸騰流体）。共沸混合物様組成物が有用である場合がある装置の例としては、遠心式冷凍機、家庭用冷蔵庫／冷凍庫、自動車用空調機器、冷蔵車、ヒートポンプ、スーパーマーケットの食品冷却機及び陳列ケース並びに冷凍倉庫が挙げられる。
【００４５】
間接熱伝達プロセスでは、熱伝達のための潤滑添加剤は、可動部（例えば、ポンプ及び弁）が関与して、確実に可動部を長期間作動させ続け、熱伝達流体に組み込むことができる。一般的に、これらの潤滑添加剤は、良好な熱及び加水分解安定性を有するべきであり、かつ熱伝達流体において少なくとも部分的溶解度を呈するべきである。好適な潤滑添加剤の例としては、鉱油、脂肪族エステル、クロロトリフルオロエチレン含有ポリマーのような高度にハロゲン化された油及びアルキレンオキシドポリマーのような合成潤滑添加剤が挙げられる。共沸混合物様組成物は、有機ランキンサイクルで作動流体としても機能して、工業プロセス、地熱又は太陽熱からの廃熱のような源からエネルギーを回収することもできる。
【００４６】
いくつかの実施形態では、共沸混合物様組成物を用いて、本発明の共沸混合物様組成物及び少なくとも１種の完全に揮発性である潤滑添加剤を含む、作動流体又は潤滑剤を配合することができる。潤滑添加剤は、本明細書では、加工品及び用具の間の摩擦係数を改良する添加剤として定義される。いくつかの実施形態では、潤滑添加剤を含む共沸混合物様組成物は、加工操作のための作動流体を形成する。
【００４７】
加工操作における代表的な基材としては、金属、サーメット及び複合材料の加工品が挙げられる。代表的な金属としては、耐火金属（例えば、タンタル、ニオビウム、モリブデン、バナジウム、タングステン、ハフニウム、レニウム及びチタン）；貴金属（例えば、銀、金及びプラチナ）；高温金属（例えば、ニッケル、チタン合金及びニッケルクロム）；例えば、マグネシウム、銅、アルミニウム、鋼（例えば、ステンレス鋼）を含む他の金属；合金（例えば、黄銅及び青銅）並びにこれらの任意の組み合わせが挙げられる。
【００４８】
典型的には、作動流体は、機械加工表面を潤滑化し、滑らかで、実質的に残留物を含まない機械加工された加工品の表面をもたらす。いくつかの実施形態では、これらの操作で用いられる代表的な作動流体はまた、例えば熱及び／又は微粒子物質を除去することにより、機械加工環境（例えば、加工品と機械加工用具との間の表面界面）を冷却する。
【００４９】
サーメットは、いずれか一方のみの単独では見られない物理的特性を有するセラミック及び金属成分の混合物からなる半合成製品である。例としては、金属カーバイド、酸化物及びシリサイドが挙げられる。
【００５０】
複合材料は、本明細書では、ポリマーマトリックス中の高温繊維、例えばエポキシ樹脂中のガラス又は炭素繊維の組み合わせ（例えば、積層体、混合物、ブレンド等）として記載される。
【００５１】
いくつかの実施形態では、作動流体は、切削及び成形プロセスが潤滑化されて、摩擦、用具若しくは加工品の発熱を低減し、及び／又は加工品から用具への物質移動を妨げるように、配合される。いくつかの実施形態では、作動流体は完全に加工工具を湿潤させる。いくつかの実施形態では、作動液に含まれる共沸混合物様組成物は、加工工具及び加工品から蒸発する。いくつかの実施形態では、潤滑添加剤は、摩擦並びに用具及び加工品の表面上での発熱を低減し、及び／又は加工品から工具への物質移動を妨げる、薄膜として存在する。一般的に、潤滑添加剤は、あまりにも早く蒸発することなく、加工プロセスを潤滑化するのに十分高い沸点を有し、加工プロセスから完全に蒸発するのに十分低い沸点を有し、その結果、残留物がほとんど又は全く残らない（即ち、揮発性である）ように、選択される。加工操作の潤滑添加剤の例としては、Ｃ８〜Ｃ１４脂肪酸のエステル、アルキレングリコールエーテル、炭化水素留出物及び乳酸が挙げられる。
【００５２】
記載した用途のそれぞれでは、共沸混合物様組成物はそれ自体として用いることができ、又は共沸混合物様組成物のブレンドを用いることもできるが、但しブレンドもまた共沸混合物様である。同様に、微量の共溶媒を共沸混合物様組成物に添加することができるが、但し添加は共沸混合物の挙動を乱さない。有用な共溶媒としては、例えば、ヒドロフルオロカーボン（ＨＦＣ）、炭化水素、ヒドロクロロカーボン（ＨＣＣ）又は水を挙げることができる。好適な共溶媒の代表的な例としては、二酸化炭素；１，１−ジフルオロエタン；１−ヒドロペンタデカフルオロヘプタン；１，１，１，２−テトラフルオロエタン；１，１，１，３，３−ペンタフルオロプロパン；トランス−１，２−ジクロロエテン；２−クロロプロパン；水；飽和ペルフルオロ化合物（例えば、ペルフルオロペンタン、ペルフルオロヘキサン及びペルフルオロ（Ｎ−メチルモルホリン）及びこれらの組み合わせが挙げられる。いくつかの実施形態では、共沸混合物様組成物は、更にフッ化水素酸（ＨＦ）を含んでよい。
【００５３】
本発明の利点及び実施形態を以降の実施例によって更に例示するが、これら実施例において列挙される特定の材料及びそれらの量、並びに他の条件及び詳細は、本発明を不当に制限するものと解釈されるべきではない。他に言及されるか、明らかでない限り、全材料は市販であるか、又は当業者に知られている。
【実施例】
【００５４】
本発明の共沸混合物様組成物の調製、同定及び試験について、以下の実施例に更に記載する。これらの実施例において列挙されるその特定の材料及び量、並びに他の条件及び詳細は、本発明を過度に制限しないと解釈されるべきである。これらの実施例では、全ての百分率、割合及び比は、特に指示しない限り重量による。
【００５５】
１−メトキシ−２−プロパノール（純度９８％）は、アルドリッチ・ケミカル社（（Aldrich Chemical Company, Inc.）、ウィスコンシン州ミルウォーキー（Milwaukee））から入手した。「３Ｍ（商標）ノベック（Novec）（商標）７３００工業用流体（Engineered Fluid）」として販売されている１，１，１，２，２，３，４，５，５，５−デカフルオロ−３−メトキシ−４−トリフルオロメチル−ペンタン及び「３Ｍ（商標）ノベック（Novec）（商標）７２００工業用流体」として販売されている、本質的に同一の特性を有する、２種の分離できない異性体（エチルノナフルオロブチルエーテル及びエチルノンフルオロイソブチルエーテル）からなる１−エトキシ−ノナフルオロブタンは、３Ｍ社（（3M Company）、ミネソタ州セントポール（St. Paul））から入手した。１，１，１，２，３，３，−ヘキサフルオロ−４−（１，１，２，３，３，３−ヘキサフルオロ−プロポキシ）−ペンタン（９８．５重量％超）を、米国特許出願公開第２００７／００５１９１６号（フリン（Flynn）ら）の手順に従って入手した。
【００５６】
（実施例１〜３）
１−メトキシ−２−プロパノール及びＨＦＥの種々の混合物を、以下の手順を用いて周囲気圧（７２６〜７３２トル）で蒸留し、混合物が２成分共沸混合物を形成するかどうかを確認し、形成した場合、共沸混合物の組成及び沸点（ｂｐ℃）を記録した。混合物を調製し、同心円管蒸留塔（モデル９３３、エース・ガラス（Ace Glass）、ニュージャージー州ビンランド（Vinland））内で周囲研究室気圧（７２６〜７３２トル）にて蒸留した。それぞれの場合、蒸留により、少なくとも６０分間全還流で均衡化することが可能になった。各蒸留では、５種の連続留出物サンプル、それぞれ総液体チャージのおよそ１０体積％、を１０：１の液体還流比で塔を操作している間に得た。留出物サンプルの組成を、次いで、ＲＴＸ−２００キャピラリーカラム（レステック社（Restek Corp）、ペンシルバニア州ベルフォンテ（Bellefonte））又はヌコール（Nukol）キャピラリーカラム（スペルコ（Supelco）、ペンシルバニア州ベルフォンテ（Bellefonte））又はクアドレックス（Quadrex）００７シリーズメチルシリコーンキャピラリーカラム（クアドレックス社（Quadrex Corp.）、コネチカット州ニューヘーブン（New Haven））及び熱伝導率検出器を備える、ＨＰ−５８９０シリーズＩＩプラスガスクロマトグラフィーを用いて分析した。各留出物の沸点を、熱電対を用いて測定した。この試験手順に従って、１−メトキシ−２−プロパノールの共沸混合物は、１，１，１，２，２，３，４，５，５，５−デカフルオロ−３−メトキシ−４−トリフルオロメチル−ペンタン；１，１，１，２，３，３−ヘキサフルオロ−４−（１，１，２，３，３，３−ヘキサフルオロプロポキシ）−ペンタン；及び１−エトキシ−ノナフルオロブタンであると同定された。
【００５７】
以下に示す表１では、３種の共沸混合物の組成及び沸点を、実施例１〜３として示す。
【００５８】
【表１】
2010534271.tif 000003
【００５９】
（実施例４〜６）
本発明の共沸混合物様組成物の百分率範囲を、１−メトキシ−２−プロパノールと、１，１，１，２，２，３，４，５，５，５−デカフルオロ−３−メトキシ−４−トリフルオロメチル−ペンタン、１，１，１，２，３，３，−ヘキサフルオロ−４−（１，１，２，３，３，３−ヘキサフルオロ−プロポキシ）−ペンタン及び１−エトキシ−ノナフルオロブタンとの試験混合物の沸点を、沸点計又は沸点測定装置（モデルＭＢＰ−１００、カル−ガラス・フォー・リサーチ社（Cal-Glass for Research, Inc.）、カリフォルニア州コスタメサ（Costa Mesa））を用いて決定することにより、確認した。試験組成物の低沸点成分のアリコート（２５〜３０ミリリットル（ｍＬ））を、沸点測定装置に添加した。液体を加熱し、その沸点に均衡化した（典型的には、約３０分間）。均衡化後、沸点を記録し、高沸点成分のおよそ１．０ｍＬのアリコートを装置に添加し、得られる新規組成物を約１０分間均衡化し、その時点で沸点を記録した。試験は、２５〜３０ｍＬの高沸点成分を添加するまで、１０分毎に試験混合物の約１．０ｍＬの高沸点成分を添加しながら、基本的に上記のように続けた。この試験手順を、装置内の高沸点成分の２５〜３０ｍＬのアリコートで開始し、低沸点成分のおよそ１．０ｍＬのアリコートを添加することにより、反復した。共沸混合物様組成物の存在は、試験混合物が低沸点成分の沸点より低い沸点を呈したとき、認められた。
【００６０】
得られる共沸混合物様組成物の範囲を表２に示す。全ての沸点の測定は、標準圧力（７６０＋／−トル）で実行した。
【００６１】
【表２】
2010534271.tif 000004
【００６２】
図２は、１，１，１，２，２，３，４，５，５，５−デカフルオロ−３−メトキシ−４−トリフルオロメチル−ペンタンを含む溶液中の、１−メトキシ−２−プロパノールの重量パーセント対沸点のグラフである。曲線１０は、１，１，１，２，２，３，４，５，５，５−デカフルオロ−３−メトキシ−４−トリフルオロメチル−ペンタンを含む溶液中の、１−メトキシ−２−プロパノールの重量パーセント対沸点のプロットである。線１２は、完全な沸点降下を示す。線１４は、７５％の沸点降下を示す。線１６は、５０％の沸点降下を示す。
【００６３】
図３は、１，１，１，２，３，３−ヘキサフルオロ−４−（１，１，２，３，３，３−ヘキサフルオロ−プロポキシ）−ペンタンを含む溶液中の１−メトキシ−２−プロパノールの重量パーセント対沸点のグラフである。曲線２０は、１，１，１，２，３，３−ヘキサフルオロ−４−（１，１，２，３，３，３−ヘキサフルオロ−プロポキシ）−ペンタンを含む溶液中の、１−メトキシ−２−プロパノールの重量パーセント対沸点のプロットである。線２２は、完全な沸点降下を示す。線２４は、７５％の沸点降下を示す。線２６は、５０％の沸点降下を示す。
【００６４】
図４は、１−エトキシ−ノナフルオロブタンを含む溶液中の、１−メトキシ−２−プロパノールの重量パーセント対沸点のグラフである。
【００６５】
図５は、図４のグラフの沸点降下の拡大図である。曲線４０は、１−エトキシ−ノナフルオロブタンを含む溶液中の、１−メトキシ−２−プロパノールの重量パーセント対沸点のプロットである。線４２は、完全な沸点降下を示す。線４４は、７５％の沸点降下を示す。線４６は、５０％の沸点降下を示す。
【００６６】
本発明の範囲及び趣旨から逸脱することなく本発明の予測可能な変形及び変更は当技術分野の当業者にとって自明のことであろう。本発明は、本出願において例証目的のために説明される実施形態に限定されるべきではない。
【図１】
2010534271.tif 000005
【図２】
2010534271.tif 000006
【図３】
2010534271.tif 000007
【図４】
2010534271.tif 000008
【図５】
2010534271.tif 000009
【国際調査報告】
2010534271.tif 000010
2010534271.tif 000011